(57)【要約】【課題】客の目の位置によらずに報知内容を伝達することが可能な商品情報読取装置を提供する。【解決手段】スキャナの動作状態に応じたパターンで発光した報知用ＬＥＤ（発光部）の出射光が、入射面（入射部）に入射する。入射面に入射した光は、導光体（導光部）の内部を導光する。そして、導光体を導光した光は、スキャナの筐体の読取窓（第１の面）と、読取窓と隣り合う天面（第２の面）との隅部に設けられた、第１の出射面（出射部）及び第２の出射面（出射部）から出射する。第１の出射面から出射した光は、読取窓の方向に出射する。また、第２の出射面から出射した光は、天面の方向に出射する。【選択図】図３
2020129330.tif 000002
【特許請求の範囲】
【請求項１】
商品の商品情報を読み取った際の動作状態に係る報知を行う商品情報読取装置であって、
前記商品情報読取装置の動作状態に応じたパターンで発光する発光部と、
前記発光部が発光した光を入射させる入射部と、
前記入射部に入射した光を導光する導光部と、
前記導光部を導光した光を、前記商品情報読取装置の筐体の、前記商品情報を読み取る読取窓を備えた第１の面と当該第１の面と隣り合う第２の面との隅部に設けられた出射面から、前記第１の面の方向及び前記第２の面の方向に出射させる出射部と、
を備える商品情報読取装置。
【請求項２】
前記第２の面の方向に光を出射する前記出射面は、当該第２の面から突出した突出領域を備える、
請求項１に記載の商品情報読取装置。
【請求項３】
前記出射部は、更に、
前記商品情報読取装置を、当該商品情報読取装置が読み取った商品情報に基づくデータ処理を行う商品販売データ処理装置の筐体の開口部に組み込んで、前記商品情報読取装置の前記第１の面と、前記商品販売データ処理装置の前記筐体と、が略面一になるように配置した際に、
前記開口部が当接して、前記商品情報読取装置と前記商品販売データ処理装置とを密着させる、前記第２の面と略等しい高さの位置に形成された平坦領域を備える、
請求項１または請求項２に記載の商品情報読取装置。
【請求項４】
前記出射面は、拡散面である、
請求項１から請求項３のいずれか１項に記載の商品情報読取装置。
【請求項５】
前記商品情報読取装置の内部には、前記導光部の外表面が面する位置に、当該外表面を透過した光を、前記導光部の内部に反射させる反射面を備える、
請求項１から請求項４のいずれか１項に記載の商品情報読取装置。
【発明の詳細な説明】
【技術分野】
【０００１】
本発明の実施形態は、商品情報読取装置に関する。
【背景技術】
【０００２】
店舗で商品を購入する際に、客自身が、購入する商品の登録を行う例が増えている。例えば、購入する商品を、商品情報を読み取るスキャナに翳して、商品に貼付されたバーコード等のコードシンボルをスキャナに読み取らせることによって、商品の登録を行う。最近では、スキャナが、翳された商品の画像を撮像して、当該画像を認識することによって、商品を特定して登録を行う例もある。このように、スキャナがコードシンボルや商品を撮像した際には、商品に係る情報の読み取りを正常に実行できたか、又は読み取りが正常に実行できなかったか、を客に報知できるのが望ましい。そのため、スキャナに報知手段を備えた例が知られている。
【０００３】
このような報知手段を備えるスキャナの例として、読取窓と同一面上に設けたＬＥＤ（Light  Emitting  Diode）の発光によって報知を行う装置が提案されている（例えば、特許文献１）。
【０００４】
しかしながら、このような従来のスキャナが備える報知手段にあっては、報知内容を示すＬＥＤから出射した光は、読取窓の法線方向に強く出射するため、客の体格や姿勢に応じて目の位置が変化した場合に、報知内容を示す光を確実に視認するのが困難であった。
【発明の概要】
【発明が解決しようとする課題】
【０００５】
本発明が解決しようとする課題は、客の目の位置によらずに報知内容を伝達することが可能な商品情報読取装置を提供することである。
【課題を解決するための手段】
【０００６】
実施形態の商品情報読取装置は、商品の商品情報を読み取った際の動作状態に応じて報知を行うものであって、発光部と、入射部と、導光部と、出射部とを備える。発光部は、商品情報読取装置の動作状態に応じたパターンで発光する。入射部は、発光部が発光した光を入射させる。導光部は、入射部に入射した光を導光する。出射部は、導光部を導光した光を、商品情報読取装置の筐体の、商品情報を読み取る読取窓を備えた第１の面と当該第１の面と隣り合う第２の面との隅部に設けられた出射面から、第１の面の方向及び第２の面の方向に出射させる。
【図面の簡単な説明】
【０００７】
【図１】図１は、第１の実施形態に係るスキャナが設置されたショッピングカートの一例を示す外観図である。
【図２】図２は、スキャナの外観図及び断面図である。
【図３】図３は、スキャナに内蔵された発光部の構造の一例を示す断面図である。
【図４】図４は、導光体の形状の一例を示す図である。
【図５】図５は、導光体の内部を進行する光線の光路について説明する図である。
【図６】図６は、スキャナのハードウェア構成の一例を示すハードウェアブロック図である。
【図７】図７は、スキャナの機能構成の一例を示す機能ブロック図である。
【図８】図８は、スキャナが行う処理の流れの一例を示すフローチャートである。
【図９】図９は、第２の実施形態に係る商品情報登録装置の一例を示す外観図である。
【図１０】図１０は、第２の実施形態のスキャナの設置構造について説明する図である。
【発明を実施するための形態】
【０００８】
（第１の実施形態）
以下、添付図面を参照して、第１の実施形態について説明する。第１の実施形態は、ショッピングカートに設置した商品情報読取装置（スキャナ）の例である。
【０００９】
（スキャナの概略構成の説明）
図１，図２を用いて、スキャナの概略構成を説明する。図１は、第１の実施形態に係るスキャナ１０が設置されたショッピングカート１８の一例を示す外観図である。図２は、スキャナ１０の外観図及び断面図である。
【００１０】
図１に示すように、スキャナ１０は、小売りの店舗に設置されて商品の運搬に用いられるショッピングカート１８に取り付けられる。
【００１１】
スキャナ１０は、内部に組み込まれたカメラによって、スキャナ１０の正面の読取窓３に翳された商品に貼付されたコードシンボル（例えばバーコード）を読み取る。なお、スキャナ１０は、商品情報読取装置の一例である。
【００１２】
ショッピングカート１８を使用する客は、購入する商品をスキャナ１０に翳して、当該商品に貼付されたバーコード等のコードシンボルをスキャナ１０に読み取らせる。スキャナ１０は、コードシンボルを読み取って、そこに登録された商品コードを認識する。そして、スキャナ１０は、認識した商品コードと、スキャナ１０が記憶しているＰＬＵ（Price  Look  Up）ファイルＦ１（図６）とを照合することによって、商品を特定する。このようにして、購入する商品が、順次スキャナ１０に登録される。そして、購入する全ての商品の登録を完了した客は、非図示のＰＯＳ端末に移動して会計処理を行う。スキャナ１０は、ＰＯＳ端末を操作する店員の操作を受けて、登録済の商品情報を、ＰＯＳ端末に送信する。そして、ＰＯＳ端末において、購入した商品の代金の支払いを行う会計処理が行われる。
【００１３】
なお、本実施形態においては、簡単のため、スキャナ１０は商品に貼付されたバーコード等のコードシンボルを読み取る機能を備えるものとして説明するが、スキャナ１０は、更に、撮像された商品の外観の画像に基づいて、当該商品を認識する機能（オブジェクト認識機能）を備えてもよい。
【００１４】
スキャナ１０は、図１に示す発光部５を備える。発光部５は、導光体５ｂ（図３参照）で形成されて、スキャナ１０の上部の読取窓３側に設けられる。なお、導光体５ｂは、導光部の一例である。発光部５は、所定の色や所定のパターンで、スキャナ１０の上方及び前方（読取窓３側）に向かって発光する。発光部５の発光によって、スキャナ１０の動作状態が客に報知される。スキャナ１０の動作状態とは、例えば、コードシンボルを正常に読み取ったこと、コードシンボルの読み取りに失敗したこと、スキャナ１０の動作に異常が発生したこと等である。
【００１５】
次に、図２を用いて、スキャナ１０の詳細構造を説明する。図２（ａ）に示すように、スキャナ１０は、フロントカバー１とリアカバー２とを係止した、略直方体形状を有する。フロントカバー１の前面の開口部３ａには、読取窓３が設置されて、当該読取窓３に商品が翳される。なお、フロントカバー１の前面、又は読取窓３は、第１の面の一例である。
【００１６】
ここで、図２（ａ）に示す座標系ｘｙｚを設定する。そして、説明の便宜上、リアカバー２の上面（ｘｙ平面に沿う面）が形成する天面４を定義する。なお、天面４は、第２の面の一例である。すなわち、天面４とフロントカバー１の前面（又は読取窓３）とは、スキャナ１０の前面側上部において隣り合っている。
【００１７】
スキャナ１０のフロントカバー１の前面（又は読取窓３）と天面４との隅部には、発光部５が設置される。発光部５は、フロントカバー１の前面方向、すなわち第１の面の方向と、天面４の方向、すなわち第２の面の方向とに光を出射する。詳しくは後述する。
【００１８】
読取窓３の内部には、図２（ｂ）に示す発光部５と、カメラ１１と、ミラー１２と、照明用ＬＥＤ１３と、拡散板１４とが設置される。なお、図２（ｂ）は、スキャナ１０のｘｚ断面図である。
【００１９】
発光部５は、スキャナ１０の動作状態を、後述する報知用ＬＥＤ６（図３）の発光パターンによって報知する。
【００２０】
カメラ１１は、ＣＣＤ（Charge  Coupled  Device）やＣＭＯＳ（Complementary  Metal-Oxide  Semiconductor）等のイメージセンサ、及びレンズ等の光学系を備える。カメラ１１は、読取窓３越しに、撮像範囲Ｑの中の被写体を撮像する。
【００２１】
ミラー１２は、カメラ１１の撮像方向を、読取窓３の向きに変更する。
【００２２】
照明用ＬＥＤ１３は、撮像範囲Ｑに対して、照明光を照射することによって、読取窓３に翳された商品を照らす。照明用ＬＥＤ１３は、例えば白色のＬＥＤで構成される。図２（ｂ）に示すように、照明用ＬＥＤ１３は複数個設置されるが、その個数は、使用するＬＥＤの出力、出射角、撮像範囲Ｑの広さ等に基づいて、適宜決定される。
【００２３】
拡散板１４は、照明用ＬＥＤ１３が出射した照明光を拡散させる。これによって、撮像範囲Ｑには、拡散光が照射されるため、照明光の輝度むらが緩和されて、均質な照明を行うことができる。また、被写体の影が和らげられるため、認識しやすい画像を撮像することができる。
【００２４】
（発光部の概略構造の説明）
次に、図３、図４を用いて、発光部５の詳細構造を説明する。図３は、スキャナ１０に内蔵された発光部５の構造の一例を示す断面図である。図４は、導光体５ｂの形状の一例を示す図である。
【００２５】
まず、図３（ａ），図３（ｂ）を用いて、発光部５の構造を説明する。図３（ａ）は、スキャナ１０の前面側上部のｘｚ断面図である。図３（ｂ）は、スキャナ１０の前面側上部の拡大図である。
【００２６】
発光部５を形成する導光体５ｂは、例えば、熱可塑性プラスチックの一種であるポリカーボネート樹脂で形成される。導光体５ｂは、内部に入射した光を、外部との境界面で全反射させながら導光して、出射面から外部に出射する。なお、全反射とは、入射光が境界面を透過せずに、全て反射する現象である。光が臨界角を超える入射角で入射した場合に、全反射が発生する。なお、臨界角は、導光体５ｂの屈折率と、導光体５ｂが面する空気の屈折率とに基づいて決定する。導光体５ｂは、自由な形状の面発光部を形成することができるため、液晶パネルのバックライトや、車両用計器の照明等に広く用いられている。
【００２７】
本実施形態における導光体５ｂは、入射面５ａと、第１の出射面５ｃと、第２の出射面５ｄとを備える。
【００２８】
入射面５ａは、報知用ＬＥＤ６から出射した光を、導光体５ｂの内部に入射させる。報知用ＬＥＤ６は複数設置されて、スキャナ１０の動作状態に応じたパターンで発光する。特に、本実施形態では、図３（ａ）に示すように、報知用ＬＥＤ６は、ｚ軸正側向き、すなわち上向きに設置される。そして、上方に向かって出射した光が、報知用ＬＥＤ６の発光面と略平行に位置する入射面５ａから、導光体５ｂの内部に入射する。なお、入射面５ａは入射部の一例である。また、報知用ＬＥＤ６は、発光部の一例である。
【００２９】
第１の出射面５ｃは、読取窓３に面する位置に設けられて、導光体５ｂの内部を導光した光を、読取窓３（第１の面）の方向に出射させる。なお、第１の出射面５ｃは拡散面である。したがって、第１の出射面５ｃから出射した光は、読取窓３に正対する方向のみならず、読取窓３に対して斜め方向からでも視認することが可能である。
【００３０】
第２の出射面５ｄは、天面４に面する位置に設けられて、導光体５ｂの内部を導光した光を、天面４（第２の面）の方向に出射させる。なお、第２の出射面５ｄは拡散面である。したがって、第２の出射面５ｄから出射した光は、天面４に正対する方向のみならず、天面４に対して斜め方向からでも視認することが可能である。なお、第１の出射面５ｃと第２の出射面５ｄとは、出射部の一例である。
【００３１】
このように、第１の出射面５ｃと第２の出射面５ｄとは、スキャナ１０の前面側上部の、読取窓３（第１の面）と天面４（第２の面）との隅部に設けられる。
【００３２】
第２の出射面５ｄは、さらに、突出面５ｅと、平坦面５ｆとを備える。
【００３３】
突出面５ｅは、図３（ｂ）に示すように、天面４（第２の面）から円弧状に突出した面である。突出面５ｅは、導光体５ｂの内部を導光された光を、天面４の法線方向、すなわちＺ軸方向のみならず、円弧の法線方向にも出射する。さらに、前記したように第２の出射面５ｄは拡散面であるため、突出面５ｅから出射する光は、より一層広い方向に出射される。なお、突出面５ｅは、突出領域の一例である。
【００３４】
平坦面５ｆは、図３（ａ）に示すように、天面４（第２の面）と略等しい高さの位置に形成される略平坦な面である。平坦面５ｆの機能は、第２の実施形態で説明する。なお、平坦面５ｆは、平坦領域の一例である。
【００３５】
なお、図３（ａ）に示すように、導光体５ｂは、スキャナ１０に内蔵される。そして、導光体５ｂは、スキャナ１０の内部に形成された押さえ部７によって、スキャナ１０に固定される。押さえ部７の表面は、例えば白色に塗装されている。これによって、押さえ部７は、導光体５ｂの内部を進行する光のうち、全反射条件を満足しないことによって外部に透過した光を反射させて、再び導光体５ｂの内部に戻す反射面としても機能する。
【００３６】
次に、図４を用いて、導光体５ｂの形状について説明する。図４（ａ）は、導光体５ｂを上方（ｚ軸正側）から見た上面図である。また、図４（ｂ）は、導光体５ｂを前側（ｘ軸負側）から見た側面図である。
【００３７】
図４（ａ）に示すように、導光体５ｂは、ｘ軸に関して線対称な形状を有する。そして、入射面５ａの近傍には、３個の報知用ＬＥＤ６（６ａ，６ｂ，６ｃ）が設置される。このうち、２つの報知用ＬＥＤ６ａ，６ｃは青色ＬＥＤである。また、報知用ＬＥＤ６ｂは橙色ＬＥＤである。報知用ＬＥＤ６ａ，６ｃは、スキャナ１０が、コードシンボルを正常に読み取った際に点灯する。報知用ＬＥＤ６ｂは、スキャナ１０が、コードシンボルを読み取れなかった際に点灯する。なお、入射面５ａの近傍に設置される、報知用ＬＥＤ６の個数と発光色はこの限りではなく、スキャナ１０の設計仕様に基づく報知用ＬＥＤ６が設置される。
【００３８】
導光体５ｂは、入射面５ａから第１の出射面５ｃ及び第２の出射面５ｄに向かって、光が通過する領域が徐々に広がるように形成されている。なお、第１の出射面５ｃ及び第２の出射面５ｄの面積及び形状は、スキャナ１０のサイズ等に基づいて決定される。
【００３９】
また、図４（ｂ）に示すように、導光体５ｂは、ｚ軸に関して線対称な形状を有する。そして、第１の出射面５ｃ及び第２の出射面５ｄは、入射面５ａに対して上方に位置する。なお、第１の出射面５ｃ及び第２の出射面５ｄと、入射面５ａとの位置関係は一例であって、本実施形態の例に限定されるものではない。
【００４０】
（発光部の作用の説明）
次に、図５を用いて、発光部５の作用を説明する。図５は、導光体５ｂの内部を進行する光線の光路について説明する図である。
【００４１】
まず、第１の出射面５ｃから出射する光線の光路について説明する。報知用ＬＥＤ６から出射した光線のうち、図５に示す光線Ｒ１に着目する。すなわち、光線Ｒ１は、導光体５ｂに入射した後、点Ｐ１，点Ｐ２，点Ｐ３において全反射を繰り返す。そして、点Ｐ４において、光線ｒ１として第１の出射面５ｃから出射する。なお、第１の出射面５ｃは拡散面であるため、光線ｒ１は、点Ｐ４から拡散光として出射する。
【００４２】
次に、第２の出射面５ｄから出射する光線の光路について説明する。報知用ＬＥＤ６から出射した光線のうち、図５に示す光線Ｒ２に着目する。すなわち、光線Ｒ２は、導光体５ｂに入射した後、点Ｐ５，点Ｐ６において全反射を繰り返す。そして、点Ｐ７において、光線ｒ２として第２の出射面５ｄから出射する。なお、第２の出射面５ｄは拡散面であるため、光線ｒ２は、点Ｐ７から拡散光として出射する。
【００４３】
（スキャナのハードウェア構成の説明）
次に、図６を用いて、スキャナ１０のハードウェア構成を説明する。図６は、スキャナ１０のハードウェア構成の一例を示すハードウェアブロック図である。
【００４４】
スキャナ１０は、制御部２０と、記憶部２４と、コントローラ２６と、無線通信インタフェース２７とを備える。
【００４５】
制御部２０は、ＣＰＵ（Central  Processing  Unit）２１と、ＲＯＭ（Read  Only  Memory）２２と、ＲＡＭ（Random  Access  Memory）２３とを備える。ＣＰＵ２１は、バスライン２５を介して、ＲＯＭ２２と、ＲＡＭ２３と接続する。ＣＰＵ２１は、記憶部２４に記憶された制御プログラムＣ１や、ＲＯＭ２２に記憶されたデータ等をＲＡＭ２３に展開する。ＣＰＵ２１は、ＲＡＭ２３に展開された制御プログラムＣ１に従って動作することでスキャナ１０の動作を制御する。すなわち、制御部２０は、一般的なコンピュータの構成を有する。
【００４６】
制御部２０は、更に、バスライン２５を介して、記憶部２４と、コントローラ２６と、無線通信インタフェース２７と接続する。
【００４７】
記憶部２４は、電源を切っても記憶情報が保持される、フラッシュメモリ等の不揮発性メモリ、又はＨＤＤ（Hard  Disk  Drive）等である。記憶部２４は、制御プログラムＣ１を含むプログラム等を記憶する。制御プログラムＣ１は、スキャナ１０が備える機能を発揮させるためのプログラムである。
【００４８】
なお、制御プログラムＣ１は、ＲＯＭ２２に予め組み込まれて提供されてもよい。また、制御プログラムＣ１は、制御部２０にインストール可能な形式又は実行可能な形式のファイルで、ＣＤ−ＲＯＭ、フレキシブルディスク（ＦＤ）、ＣＤ−Ｒ、ＤＶＤ（Digital  Versatile  Disc）等のコンピュータで読み取り可能な記録媒体に記録して提供するように構成してもよい。さらに、制御プログラムＣ１を、インターネット等のネットワークに接続されたコンピュータ上に格納し、ネットワーク経由でダウンロードさせることにより提供するように構成してもよい。また、制御プログラムＣ１を、インターネット等のネットワーク経由で提供または配布するように構成してもよい。
【００４９】
記憶部２４は、さらに、ＰＬＵ（Price  Look  Up）ファイルＦ１と、商品登録ファイルＦ２とを記憶する。ＰＬＵファイルＦ１は、店舗で取り扱っている商品の商品情報（商品コード、商品名、価格等）を記憶したマスタファイルである。なお、店舗で取り扱う商品は日々変化するため、スキャナ１０は、後述する無線通信機能を用いて、非図示の店舗サーバやＰＯＳ端末等から、最新のＰＬＵファイルＦ１を取得する。
【００５０】
商品登録ファイルＦ２は、客がスキャナ１０によって読み取った商品の登録情報を記憶したファイルである。
【００５１】
コントローラ２６は、図２に記載した、カメラ１１と、照明用ＬＥＤ１３と、報知用ＬＥＤ６と接続する。コントローラ２６は、制御部２０からの指令に基づいて、接続された各種ハードウェアの動作を制御する。なお、コントローラ２６に接続される各種ハードウェアの内容については前述したため、ここでの説明は省略する。
【００５２】
また、コントローラ２６は、無線通信インタフェース２７と接続する。無線通信インタフェース２７は、無線ＬＡＮ等の無線通信を介して、非図示のＰＯＳ端末や店舗サーバと接続する。
【００５３】
（スキャナの機能構成の説明）
次に、図７を用いて、スキャナ１０の機能構成を説明する。図７は、スキャナ１０の機能構成の一例を示す機能ブロック図である。
【００５４】
スキャナ１０の制御部２０は、制御プログラムＣ１をＲＡＭ２３に展開して動作させることによって、図７に示す撮像制御部３０と、商品情報読取部３１と、商品登録部３２と、動作状態判定部３３と、報知制御部３４とを、機能部として実現する。
【００５５】
撮像制御部３０は、カメラ１１及び照明用ＬＥＤ１３の動作を制御することによって、撮像範囲Ｑの画像を撮像する。
【００５６】
商品情報読取部３１は、撮像制御部３０が撮像した画像の中に、コードシンボルが写っているかを判定する。また、商品情報読取部３１は、画像の中にコードシンボルが写っていた場合に、当該オードシンボルに登録された商品情報を認識する。
【００５７】
商品登録部３２は、商品情報読取部３１が認識した商品情報を、商品登録ファイルＦ２に登録する。
【００５８】
動作状態判定部３３は、スキャナ１０の動作状態を判定する。
【００５９】
報知制御部３４は、スキャナ１０の動作状態に関する報知を行う。
【００６０】
（スキャナが行う処理の流れの説明）
次に、図８を用いて、スキャナ１０が行う処理の流れを説明する。図８は、スキャナ１０が行う処理の流れの一例を示すフローチャートである。
【００６１】
撮像制御部３０は、カメラ１１や照明用ＬＥＤ１３等を制御することによって撮像処理を行う（ステップＳ１０）。
【００６２】
商品情報読取部３１は、ステップＳ１０で撮像した画像の中にバーコードが写っているかを判定する（ステップＳ１１）。バーコードが写っていると判定される（ステップＳ１１：Ｙｅｓ）と、ステップＳ１２に進む。一方、バーコードが写っていると判定されない（ステップＳ１１：Ｎｏ）と、ステップＳ１０に戻る。
【００６３】
ステップＳ１１においてＹｅｓと判定されると、商品情報読取部３１は、バーコードに登録されたコード情報を読み取る（ステップＳ１２）。
【００６４】
動作状態判定部３３は、商品情報読取部３１が、コード情報を読み取ったかを判定する（ステップＳ１３）。コード情報を読み取ったと判定される（ステップＳ１３：Ｙｅｓ）と、ステップＳ１４に進む。一方、コード情報を読み取ったと判定されない（ステップＳ１３：Ｎｏ）と、ステップＳ１５に進む。
【００６５】
ステップＳ１３においてＹｅｓと判定されると、報知制御部３４は、報知用ＬＥＤ６ａ，６ｃ（青色ＬＥＤ）を点灯させる（ステップＳ１４）。これによって、発光部５が青色に点灯する。
【００６６】
続いて、商品登録部３２は、商品情報読取部３１が読み取った情報を、商品登録ファイルＦ２に登録する（ステップＳ１６）。
【００６７】
動作状態判定部３３は、商品登録ファイルＦ２がＰＯＳ端末に送信されたかを判定する（ステップＳ１７）。商品登録ファイルＦ２がＰＯＳ端末に送信されたと判定される（ステップＳ１７：Ｙｅｓ）と、スキャナ１０は、図８の処理を終了する。そして、その後、ＰＯＳ端末が会計処理を行う。
【００６８】
一方、ステップＳ１３においてＮｏと判定されると、報知制御部３４は、報知用ＬＥＤ６ｂ（橙色ＬＥＤ）を点灯させる（ステップＳ１５）。これによって、発光部５が橙色に点灯する。その後、ステップＳ１０に戻る。客は、再び、商品を読取窓３に翳して、バーコードの読み取りを行わせる。そして、再びステップＳ１５に進んで橙色ＬＥＤが点灯した場合は、近くにいる店員等に問い合わせを行う。
【００６９】
以上説明したように、第１の実施形態のスキャナ１０（商品情報読取装置）は、スキャナ１０の動作状態に応じたパターンで発光した報知用ＬＥＤ６（発光部）の出射光が、入射面５ａ（入射部）に入射する。入射面５ａに入射した光は、導光体５ｂ（導光部）の内部を導光する。そして、導光体５ｂを導光した光は、スキャナ１０の筐体の読取窓３（第１の面）と、読取窓３と隣り合う天面４（第２の面）との隅部に設けられた、第１の出射面５ｃ（出射部）及び第２の出射面５ｄ（出射部）から出射する。第１の出射面５ｃから出射した光は、読取窓３の方向に出射する。また、第２の出射面５ｄから出射した光は、天面４の方向に出射する。したがって、客の目の位置によらずに、発光部５の発光による報知内容を伝達することができる。
【００７０】
また、第１の実施形態のスキャナ１０（商品情報読取装置）において、天面４（第２の面）の方向に光を出射する第２の出射面５ｄ（出射部）は、天面４（第２の面）から円弧状に突出した突出面５ｅ（突出領域）を備える。したがって、スキャナ１０の天面４側の広範囲に亘って、発光部５の発光状態を伝達することができる。
【００７１】
また、第１の実施形態のスキャナ１０（商品情報読取装置）において、第１の出射面５ｃ（出射部）及び第２の出射面５ｄ（出射部）は、拡散面である。したがって、第１の出射面５ｃ及び第２の出射面５ｄから出射した光を、広範囲に放射することができる。
【００７２】
また、第１の実施形態のスキャナ１０（商品情報読取装置）において、スキャナ１０の内部には、導光体５ｂ（導光部）の外表面が面する位置に、当該外表面を透過した光を、導光体５ｂの内部に反射させる反射面を備える。したがって、導光体５ｂからの光の漏れを低減させて、第１の出射面５ｃ（出射部）及び第２の出射面５ｄ（出射部）から出射する光量を増やすことができる。
【００７３】
また、第１の実施形態のスキャナ１０（商品情報読取装置）において、報知用ＬＥＤ６（発光部）は、異なる色で発光する複数のＬＥＤを備える。したがって、スキャナ１０の異なる複数の動作状態を報知することができる。
【００７４】
なお、第１の実施形態において、スキャナ１０は、フロントカバー１の前面（又は読取窓３）と天面４との隅部に発光部５（導光体５ｂ）を備えるものとして説明したが、発光部５の設置位置は、その位置に限定されるものではない。すなわち、フロントカバー１の前面（又は読取窓３）とリアカバー２のｙ軸に直交する側面との隅部に発光部５（導光体５ｂ）を備えても同様の効果が得られる。
【００７５】
（第２の実施形態）
以下、添付図面を参照して、第２の実施形態について説明する。第２の実施形態は、第１の実施形態で説明したスキャナ１０を、セミセルフレジで用いる商品情報登録装置に組み込んだ例である。
【００７６】
まず、図９を用いて、商品情報登録装置の構成を説明する。図９は、第２の実施形態に係る商品情報登録装置１００の一例を示す外観図である。
【００７７】
商品情報登録装置１００は、店員に操作されて、スキャナ１０が読み取った商品情報に基づいて、客が購入する商品の商品情報を登録するデータ処理を行う。商品情報登録装置１００は、図９に示すように、作業台１０２の上面に設置されて、スキャナ１０の読取窓３が、商品登録操作を行う店員側に向くように設置される。なお、商品情報登録装置１００は、商品販売データ処理装置の一例である。
【００７８】
スキャナ１０は、商品情報登録装置１００の筐体１０１に、読取窓３と、筐体１０１の表面とが略面一になるように埋設されている。なお、スキャナ１０は、第１の実施形態で説明したものと同じであるため、内部構成の説明は省略する。
【００７９】
また、商品情報登録装置１００は、スキャナ１０の上部に、タッチパネル１０３が積層された表示器１０４、及びキーボード１０５を備えている。表示器１０４には、スキャナ１０が読み取ったコードシンボルの内容と、ＰＬＵファイルＦ１（図６）の内容とに基づいて認識された、商品の商品名および価格等の商品情報が表示される。タッチパネル１０３及びキーボード１０５は、同じ商品を複数個登録する際などに、商品情報の入力を補助する操作部である。
【００８０】
店員側から見て商品情報登録装置１００の左側には、プリンタ１０６が設けられている。プリンタ１０６は、一取引分の合計金額等の取引データが印字されたレシート等を印字して発行する。
【００８１】
さらに、店員側から見て商品情報登録装置１００の左側には、客向けの客側表示器１０７が設けられている。
【００８２】
商品情報登録装置１００は、非図示の会計装置に対して、客が購入する商品を全て登録した情報（取引情報）を送信する。そして、商品の登録を完了した客は、会計装置に移動して、会計処理を行う。
【００８３】
なお、商品情報登録装置１００と会計装置のハードウェア構成及び機能構成、並びに、商品情報登録装置１００が行う処理の流れは、本実施形態の主要な要素ではないため、説明は省略する。
【００８４】
（スキャナの設置構造の説明）
次に、図１０を用いて、商品情報登録装置１００におけるスキャナ１０の設置構造を説明する。図１０は、第２の実施形態のスキャナの設置構造について説明する図である。
【００８５】
図１０は、スキャナ１０が、商品情報登録装置１００の筐体１０１に組み込まれた状態を示す図であるが、特に図１０（ａ）は、商品情報登録装置１００のスキャナ１０周辺の部分正面図である。図１０（ｂ）は、商品情報登録装置１００の内部をｙ軸正側から見た部分側面図である。図１０（ｃ）は、商品情報登録装置１００をｙｚ平面で切った部分断面図である。
【００８６】
スキャナ１０は、前記したように、読取窓３と筐体１０１の表面とが略面一になるように、商品情報登録装置１００の筐体１０１に埋設される。これは、商品のバーコードを読み取る際に、店員は、商品を読取窓３に接触又は近接させるため、読取窓３と筐体１０１の表面との間に段差があると、読み取り操作が行いにくくなるためである。
【００８７】
スキャナ１０を、商品情報登録装置１００の筐体１０１に埋め込む際には、筐体１０１の前面を構成する板状部材１０１ａに形成された開口部１０９に、スキャナ１０を、板状部材１０１ａの裏面側から嵌め込む。そして、スキャナ１０は、天面４が、開口部１０９の端部に当接した状態で固定される。
【００８８】
このとき、開口部１０９の端部は、発光部５（導光体５ｂ）の平坦面５ｆ（図３）と当接する。
【００８９】
このように、発光部５（導光体５ｂ）の第２の出射面５ｄ（出射部）の中に平坦面５ｆを形成することによって、スキャナ１０の読取窓３と商品情報登録装置１００の筐体１０１とを、容易に面一に設置することができる。ちなみに、突出面５ｅの位置に、商品情報登録装置１００の筐体１０１を当接させる場合には、開口部１０９の端部を、突出面５ｅの円弧状の外形と合致するように加工する必要があるため、手間がかかってしまう。
【００９０】
このようにして筐体１０１に埋め込まれたスキャナ１０は、第１の実施形態で説明したのと同様に動作する。すなわち、スキャナ１０の動作状態は、発光部５の発光によって報知される。特に、本実施形態の場合には、図１０に示す第１の出射面５ｃから出射する光によって報知が行われる。その際、第１の出射面５ｃは、第１の実施形態で説明したように、読取窓３に正対する方向、及び読取窓３に対して斜め方向に光を出射する。商品情報登録装置１００を操作する店員は、一般に、読取窓３に正対する位置で、読取窓３の方向を向いて、商品を読取窓３に翳す操作を行う。したがって、第１の出射面５ｃから出射する光によってスキャナ１０の動作状態の報知を行えば、店員は、その報知内容を充分に視認することができる。
【００９１】
なお、第２の実施形態によると、突出面５ｅ及び平坦面５ｆは、筐体１０１に埋め込まれる。したがって、突出面５ｅ及び平坦面５ｆから出射する光は、スキャナ１０の外部に出射しないため、光のロスが生じる。そのため、突出面５ｅ及び平坦面５ｆの部分には、導光体５ｂから光が出射しないように、予め反射テープ等を貼付しておくのが望ましい。これによって、第１の出射面５ｃから出射する光の量を増やすことができる。
【００９２】
以上説明したように、第２の実施形態の商品情報登録装置１００（商品情報読取装置）によると、スキャナ１０（商品情報読取装置）を商品情報登録装置１００の筐体１０１の開口部１０９に組み込んで、スキャナ１０の読取窓３（第１の面）と、商品情報登録装置１００の筐体１０１とを略面一になるように配置した際に、スキャナ１０と商品情報登録装置１００の筐体１０１とは、第２の出射面５ｄ（出射部）の、スキャナ１０の天面４（第２の面）と略等しい高さの位置に形成された平坦面５ｆ（平坦領域）において密着する。したがって、スキャナ１０は、単体で使用することができるとともに、追加加工を行うことなく、商品情報登録装置１００の筐体１０１に組み込んで使用することもできる。これによって、スキャナ１０の使用範囲を広げることができる。
【００９３】
以上、本発明の実施形態を説明したが、この実施形態は例示であり、発明の範囲を限定することは意図していない。この新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００９４】
３      読取窓（第１の面）
４      天面（第２の面）
５      発光部
５ａ    入射面（入射部）
５ｂ    導光体（導光部）
５ｃ    第１の出射面（出射部）
５ｄ    第２の出射面（出射部）
５ｅ    突出面（突出領域）
５ｆ    平坦面（平坦領域）
６      報知用ＬＥＤ（発光部）
１０    スキャナ（商品情報読取装置）
１８    ショッピングカート
１００  商品情報登録装置（商品販売データ処理装置）
１０１  筐体
１０９  開口部
【先行技術文献】
【特許文献】
【００９５】
【特許文献１】特開２００９−３０１３２０号公報
【図１】
2020129330.tif 000003
【図２】
2020129330.tif 000004
【図３】
2020129330.tif 000005
【図４】
2020129330.tif 000006
【図５】
2020129330.tif 000007
【図６】
2020129330.tif 000008
【図７】
2020129330.tif 000009
【図８】
2020129330.tif 000010
【図９】
2020129330.tif 000011
【図１０】
2020129330.tif 000012